(57)【要約】【課題】  目地とシール材との接着部を能率良く切断することのできる目地用カッター装置を提供する。【解決手段】  モータを内装したケーシング本体３に一体的に取付けたベースプレート１１に、ブレードホルダ１５を揺動自在に支持して設け、このブレードホルダ１５の先端側に着脱交換可能に備えた刃部本体２９に、前記ブレードホルダ１５の長手方向に対して交差する方向に突出した刃部３５，３７を備え、この刃部３５，３７の両側に切刃を備え、前記ブレードホルダ１５の両側に刃部本体が取付けてあり、両刃部本体における刃部は、前記ブレードホルダの長手方向に位置をずらして設けられている。【選択図】      図１
2005076394.tif 000002
【特許請求の範囲】
【請求項１】
モータを内装したケーシング本体に一体的に取付けたベースプレートに、ブレードホルダを揺動自在に支持して設け、このブレードホルダの先端側に着脱交換可能に備えた刃部本体に、前記ブレードホルダの長手方向に対して交差する方向に突出した刃部を備え、この刃部の両側に切刃を備えたことを特徴とする目地用カッター装置。
【請求項２】
請求項１に記載の目地用カッター装置において、前記ブレードホルダの両側に刃部本体が取付けてあり、両刃部本体における刃部は、前記ブレードホルダの長手方向に位置をずらして設けられていることを特徴とする目地用カッター装置。
【請求項３】
モータを内装したケーシング本体に一体的に取付けたベースプレートに、ブレードホルダを揺動自在に支持して設け、このブレードホルダの先端側に、刃部を備えた刃部本体を着脱交換可能に設け、前記ブレードホルダを揺動するために当該ブレードホルダに設けた嵌合穴内に、前記モータによって回転される偏心回転部を設け、前記嵌合穴の対向した位置に、前記偏心回転部の外周面に当接して前記偏心回転部の一方向への変位を前記ブレードホルダへ伝達するための弾性部材を備えたことを特徴とする目地用カッター装置。
【請求項４】
請求項１，２又は３に記載の目地用カッター装置において、前記ベースプレートに、目地に沿って転動自在のガイドローラを当該ガイドローラの軸方向に移動自在に設けたことを特徴とする目地用カッター装置。
【請求項５】
請求項４に記載の目地用カッター装置において、前記ガイドローラを支持した摺動杆及びハンドルを、前記ベースプレートに備えたハンドル取付部に着脱交換可能に取付けたことを特徴とする目地用カッター装置。
【請求項６】
目地用カッター装置に揺動自在に備えたブレードホルダに対して着脱可能のカッターであって、前記ブレードホルダに対して着脱する刃部本体に、前記ブレードホルダに装着したときにブレードホルダの長手方向に対して交差する方向に突出した態様となる刃部を備え、この刃部の両側に切刃を備えた構成であることを特徴とするカッター。
【請求項７】
請求項６に記載のカッターにおいて、前記刃部本体に備えた前記刃部の反対側に、第２の刃部を備えたことを特徴とするカッター。
【請求項８】
請求項６又は７に記載のカッターにおいて、前記刃部本体に、ブレードホルダに備えた固定具を挿通可能の大径の着脱孔を複数備えると共に、前記各着脱孔に連通したスロットを前記刃部本体に備えていることを特徴とするカッター。
【発明の詳細な説明】
【技術分野】
【０００１】
本発明は、目地に充填したコーキングシール等のシール材を、上記目地から取り剥す際に、目地とシール材との接着部を切断するために使用する目地用カッター装置及びそのカッターに関する。
【背景技術】
【０００２】
目地に充填したコーキングシール等のシール材を剥す場合は、目地とシール材との接着部を切断するために、目地用カッター装置が使用されている。目地用カッター装置においては、ブレードを備えたブレードホルダを揺動するように振動する構成であり、上記ブレードホルダの揺動は、モータの回転運動を、偏心機構を介して揺動運動に変換しているものである（例えば特許文献１参照）。
【特許文献１】特開２００２−３３１５１７号公報
【発明の開示】
【発明が解決しようとする課題】
【０００３】
上記特許文献１に記載の構成は、枢軸を介して揺動自在に設けられた揺動部材に設けた嵌合穴内に、モータの出力軸の偏心部に回転自在に支持された偏心回転部を嵌合し、この偏心回転部の偏心回転を、前記揺動部材の揺動運動（往復回動運動）に変換しているものである。そして、前記枢軸に一対のブレードを取付けた構成である。したがって、上記構成においては、モータを回転駆動すると、偏心回転部が回転し、枢軸を中心として揺動部材が揺動され、枢軸に取付けた一対のブレードが一体的に揺動されることになる。
【０００４】
上記構成においては、前記枢軸を中心として揺動されるブレードの先端部でもって目地内のシール材をたたくようにして切断するものであるから、シール材があたかもゴムの如く弾性に優れている場合には、切断性に問題がある。また、前記揺動部材の前記嵌合穴と前記偏心回転部との間に微小間隙が存在し、前記シール材の切断時に、前記嵌合穴内周面と前記偏心回転部との衝撃による騒音を生じ易いという問題がある。
【０００５】
さらに、一対のブレードによってシール材と目地との接着部の切断を行うとき、対向した一対のブレードによってシール材を圧縮し挟み込む態様となるので、ブレードを揺動する際の抵抗が大きくなると共に、シール材を適宜長さで切断したときに一対のブレード間からのシール材の除去が厄介であるという問題がある。
【課題を解決するための手段】
【０００６】
本発明は、前述したごとき従来の問題に鑑みてなされたもので、モータを内装したケーシング本体に一体的に取付けたベースプレートに、ブレードホルダを揺動自在に支持して設け、このブレードホルダの先端側に着脱交換可能に備えた刃部本体に、前記ブレードホルダの長手方向に対して交差する方向に突出した刃部を備え、この刃部の両側に切刃を備えた構成である。
【０００７】
また、本発明は、上記目地用カッター装置において、前記ブレードホルダの両側に刃部本体が取付けてあり、両刃部本体における刃部は、前記ブレードホルダの長手方向に位置をずらして設けられている構成である。
【０００８】
また、本発明は、モータを内装したケーシング本体に一体的に取付けたベースプレートに、ブレードホルダを揺動自在に支持して設け、このブレードホルダの先端側に、刃部を備えた刃部本体を着脱交換可能に設け、前記ブレードホルダを揺動するために当該ブレードホルダに設けた嵌合穴内に、前記モータによって回転される偏心回転部を設け、前記嵌合穴の対向した位置に、前記偏心回転部の外周面に当接して前記偏心回転部の一方向への変位を前記ブレードホルダへ伝達するための弾性部材を備えた構成である。
【０００９】
また、本発明は、上記目地用カッター装置において、前記ベースプレートに、目地に沿って転動自在のガイドローラを当該ガイドローラの軸方向に移動自在に設けた構成である。
【００１０】
また、本発明は、上記目地用カッター装置において、前記ガイドローラを支持した摺動杆及びハンドルを、前記ベースプレートに備えたハンドル取付部に着脱可能に取付けた構成である。
【００１１】
また、本発明は、目地用カッター装置に揺動自在に備えたブレードホルダに対して着脱可能のカッターであって、前記ブレードホルダに対して着脱する刃部本体に、前記ブレードホルダに装着したときにブレードホルダの長手方向に対して交差する方向に突出した態様となる刃部を備え、この刃部の両側に切刃を備えた構成である。
【００１２】
また、本発明は、上記カッターにおいて、前記刃部本体に備えた前記刃部の反対側に、第２の刃部を備えた構成である。
【００１３】
また、本発明は、上記カッターにおいて、前記刃部本体に、ブレードホルダに備えた固定具を挿通可能の大径の着脱孔を複数備えると共に、前記各着脱孔に連通したスロットを前記刃部本体に備えている構成である。
【発明の効果】
【００１４】
本発明によれば、ブレードホルダの先端側に備えた刃部本体の刃部に備えた切刃によってシール材と目地との接着部を切断するとき、前記ブレードホルダの先端側の揺動方向は前記刃部の長手方向に大略等しく、前記刃部の長手方向への往復動によって切断することとなり、目地とシール材との接着部の切断を容易に行い得るものである。
【００１５】
また、前記ブレードホルダに取付けた一対の刃部本体に備えた刃部によって目地とシール材との接着部の切断を行うとき、一対の刃部の間にシール材を圧縮して挟み込むようなことがなく、切断時の抵抗が大きくなることを抑制することができ、円滑な切断が行い得ると共に一対の刃部の間からのシール材の除去も円滑に行われ得るものである。
【００１６】
また、ブレードホルダを揺動するときには、ブレードホルダに備えた嵌合穴内周面と偏心回転部との間の微小間隙が弾性部材によって吸収された態様となり、衝撃音等の騒音を抑制することができるものである。
【発明を実施するための最良の形態】
【００１７】
図１を参照するに、本発明の実施形態に係る目地用カッター装置１は、モータを内装したケーシング本体３を備えており、このケーシング本体３にはモータによって回転される出力軸５が回転自在に設けられている。そして、この出力軸５には偏心カム７が一体的に取付けてあり、この偏心カム７には、偏心回転部９としてベアリングが回転自在に嵌合してある。
【００１８】
また、前記ケーシング本体３にはベースプレート１１が一体的に取付けてあり、このベースプレート１１に取付けた支持軸１３にはブレードホルダ１５の中間部が軸受を介して揺動自在（回動自在）に支持されている。このブレードホルダ１５の基端部側には嵌合穴１７が形成してあり、この嵌合穴１７内には前記偏心回転部９が遊嵌してある。すなわち、前記偏心回転部９は、前記ブレードホルダ１５の長手方向への変位は吸収し、長手方向に対して直交する方向の変位は前記ブレードホルダ１５に伝達するように、前記嵌合穴１７内に嵌入してあるものである。
【００１９】
そして、前記嵌合穴１７の内周面の、前記ブレードホルダ１５の長手方向に対して直交する方向の対向した部分には、前記偏心回転部９の外周面に当接接触して当該偏心回転部９の前記直交する方向への変位を前記ブレードホルダ１５に伝達するための弾性部材１９がそれぞれ設けられている。
【００２０】
より詳細には、前記弾性部材１９は金属板等よりなるものであって、図４に拡大して示すように、前記ブレードホルダ１５に形成した前記嵌合穴１７の内周面に当接接触する内面当接部１９Ａを突出するように湾曲形成することにより、この内面当接部１９Ａの両側に、偏心回転部９の外周面に当接した外面当接部１９Ｂを湾曲形成した形態である。そして、この両側の外面当接部１９Ｂに連続して、前記ブレードホルダ１５を両側から弾性的に挟持する挟持片１９Ｃを備えた構成である。
【００２１】
すなわち、前記弾性部材１９は、大略ω形状を呈するものであって、前記内面当接部１９Ａがブレードホルダ１５の嵌合穴１７の内面に押圧当接し、かつ前記外面当接部１９Ｂが偏心回転部９の外周面に押圧当接した構成により、前記偏心回転部９と嵌合穴１７との間の間隙を吸収しているものである。そして、前記ブレードホルダ１５に作用する負荷の変動によって前記間隙の間隔が変動する場合には、前記内面当接部１９Ａが押し潰される態様となり、前記間隙の変動に対して容易に対応し得るものである。
【００２２】
前記ブレードホルダ１５は、図１に示すように、大略Ｚ形状に屈曲してあり、先端側には、複数の固定具２１Ａ，２１Ｂを介してカッター（ブレード）２３が着脱交換自在に取付けてある。前記固定具２１Ａ，２１Ｂは、前記ブレードホルダ１５の両側に突出した突出部２５Ａ，２５Ｂを備えた支持ピン２５を前記ブレードホルダ１５に一体的に固定した構成であって、前記支持ピン２５の前記両突出部２５Ａ，２５Ｂには、締付固定部材としてのナット２７が螺着してある。
【００２３】
前記カッター２３は、前記ブレードホルダ１５に対して着脱自在の刃部本体２９を備えており、この刃部本体２９には、前記固定具２１Ａ，２１Ｂに備えたナット２７を挿通可能の大径の着脱孔３１Ａ，３１Ｂが形成してあり、先端側の一方の着脱孔３１Ａには、前記支持ピン２５の径より僅かに幅の広いスロット３３Ａ（図５参照）が前記刃部本体２９の基端部側方向へ僅かに長く形成してある。そして、基端部側の他方の前記着脱孔３１Ｂには、前記スロット３３Ａと同方向で同長のスロットに連続して前記スロット３３Ａの端部付近を中心とした円弧状のスロット３３Ｂが連通して設けられている。
【００２４】
前記刃部本体２９の先端側には、前記ブレードホルダ１５に対して刃部本体２９を取付けたときに、前記ブレードホルダ１５の長手方向に対して交差する方向に突出した第１の刃部３５及び第２の刃部３７を備えている。前記第１の刃部３５は、前記ブレードホルダ１５に取付けたときに内側になる部分と外側になる部分の両側にそれぞれ切刃３９，４１を備えた構成であって、内側の切刃３９は大きな円弧状を呈する凸曲線状に形成してあり、外側の切刃４１は、当該第１の刃部３５の先端側の凸円弧状の曲線状部分４１Ａに当該第１の刃部３５の基部側の直線状部分４１Ｂを連続して備えた構成である。すなわち、全体的形状とて、大略鳥のくちばし状に形成してある。
【００２５】
前記第２の刃部３７は、前記第１の刃部３５の反対側において前記刃部本体２９の先端側に三角形状に突出した形態であって、切刃４３の直線状部分４３Ａは、前記ブレードホルダ１５に取付けたとき、ブレードホルダ１５の長手方向に対して先端部側４３Ｂが高くなるように傾斜してあり、前記切刃４３の先端部側４３Ｂは円弧状に形成してある。
【００２６】
前記ブレードホルダ１５に対する前記カッター２３の着脱は次のように行われる。すなわち、前記固定具２１Ａ，２１Ｂにおけるナット２７を緩めた状態にあるとき、カッター２３における着脱孔３１Ａ，３１Ｂに前記ナット２７を相対的に挿通することにより、ブレードホルダ１５と前記カッター２３とを面接触し、その後にスロット３３Ａに支持ピン２５を係合するようにカッター２３を相対的に移動し、かつ上記支持ピン２５を中心としてカッター２３を適宜に回動し、ナット２７を締め付けることにより、図２に示すように、カッター２３をブレードホルダ１５に一体的に固定することができるものである。
【００２７】
この際、ブレードホルダ１５に対してカッター２３を所望の側面に取付けることができると共に、ブレードホルダ１５に対する取付け角度を調節することができる。また、場合によっては、前記ブレードホルダ１５の両側にカッター２３を取付けることができるものである。
【００２８】
図３に示すように、前記ベースプレート１１の複数箇所には、ハンドル取付部が設けてある。すなわち、ハンドル取付部は、当該ベースプレート１１の両側に突出状態に固定した雌ねじ部材４５Ａ，４５Ｂよりなるものであって、この雌ねじ部材４５Ａ，４５Ｂの適宜一方の雌ねじ部材４５Ａには、ハンドル４７に備えた螺子部４９が着脱可能に螺合してある。すなわち、ハンドル４７は、作業者の右利き又は左利きに対応して前記ベースプレート１１の一側に又は他側に取付けることができるものである。また、前記カッター２３の第１の刃部３５を使用するか、又は第２の刃部３７を使用するかによって、一方の雌ねじ部材４５Ａ又は他方の雌ねじ部材４５Ｂに対してハンドル４７を選択的に取付けることができるものである。
【００２９】
すなわち、作業者の利き手に対応して、又は第１の刃部３５を使用する場合、第２の刃部３７を使用する場合などのように使用する刃部に対応して、さらには、目地用カッター装置１を使用する環境においてハンドル４７が他の壁等と干渉する虞れがある場合等、種々の状況に対応してハンドル４７を所望位置の雌ねじ部材４５Ａ，４５Ｂに取付けることができるものである。
【００３０】
前記他方の雌ねじ部材４５Ｂ（ハンドル４７が取付けてない雌ねじ部材）には、先端部に雄ねじ部５１Ａを備えた摺動杆５１が軸方向に移動自在に挿通してあり、この摺動杆５１には、ガイドローラ５３が回転自在かつ軸方向へ相対的に移動自在に支持されている。上記ガイドローラ５３は、目地に案内されて転動移動するように、外周面の断面形状が円弧状又は凸曲線を呈するように大略太鼓状に形成してある。
【００３１】
したがって、目地に前記ガイドローラ５３を当接すると、ガイドローラ５３の外周面の一部が前記目地内に僅かに入り込む態様となるので、目地に沿ってガイドローラ５３を容易に移動することができるものである。すなわち、前記ガイドローラ５３を目地に押し付けて使用することができるものである。
【００３２】
したがって、前記ガイドローラ５３を目地に押し付けた状態において、前記摺動杆５１を中心として、ケーシング本体３を、図２において時計回り方向又はその逆方向へ回動することにより、目地に対する第１，第２の刃部３５，３７の切込み深さを調節することが容易に行い得るものである。また目地に沿っての移動を容易に行い得るものである。
【００３３】
ところで、前記摺動杆５１は、雄ねじ部５１Ａが前記雌ねじ部材４５Ｂを螺入貫通すると、前記雌ねじ部材４５Ｂに対して軸方向に摺動自在なものである。そして、上記摺動杆５１は、他方の雌ねじ部材４５Ｂにハンドル４７を取付けたときとは、一方の雌ねじ部材４５Ａに摺動自在に取付けることができるものである。すなわち、ハンドル取付部としての前記雌ねじ部材４５Ａ，４５Ｂに対して、ハンドル４７及びガイドローラ５３を支持した摺動杆５１を着脱交換自在な構成である。
【００３４】
前記目地用カッター装置１における前記ケーシング本体３内に内装したモータ（図示省略）のＯＮ，ＯＦＦを行うために、前記ケーシング本体３の端面には、トグルスイッチのごときスイッチ５５が設けてあり、このスイッチ５５のＯＮ，ＯＦＦの操作を作業者の手元で行い得るように、前記ケーシング本体３にはスイッチ操作手段５７が設けられている。
【００３５】
より詳細には、前記ケーシング本体３の長手方向の中間部に備えられた円形の突出部５９には操作レバー６１の中間部に備えた環状の係合部６３が回動自在に係合してあり、この操作レバー６１の基端部側には、ケーシング本体３を把持した作業者の指を掛ける指掛部６５が設けてある。そして、前記操作レバー６１の先端部は、前記スイッチ５５の部分に至るように適宜に屈曲してあり、この屈曲部には前記スイッチ５５におけるつまみ５５Ａを係合した係合溝６７が形成してある。
【００３６】
そして、前記つまみ５５Ａを常にＯＦＦ側へ付勢するために、前記突出部５９と操作レバー６１との間には、操作レバー６１をＯＦＦ方向へ回動付勢するトーションスプリングのごとき付勢手段が設けてある。また、前記操作レバー６１をスイッチ５５をＯＮする方向へ回動操作したときに、前記スイッチ５５をＯＮ状態に保持するために、ロック手段が設けてある。
【００３７】
上記ロック手段としては、例えばケーシング本体３又は操作レバー６１の適宜一方に設けた凹部と他方に設けた凸部とが弾性的に係合する構成や、前記操作レバー６１を係止するための係止部を備えた弾性爪を備えた構成など、種々の構成を採用することができるものである。
【００３８】
以上のごとき構成において、作業者が一方の手でハンドル４７を把持し、ケーシング３を把持した他方の手における指を操作レバー６１の指掛部６５に掛けて、トーションスプリングの付勢力に抗して、前記スイッチ５５をＯＮする方向へ回動操作すると、前記スイッチ５５のつまみ５５Ａが前記操作レバー６１の先端部によってＯＮ方向へ操作され、スイッチ５５がＯＮに操作される。そして、前記操作レバー６１は前記ロック手段によって、スイッチ５５をＯＮした状態に保持されるものである。
【００３９】
前記ロック手段によるロック状態（例えば前記凹部と凸部との弾性的な係合）を解除すべく操作レバー６１を操作すると、前記トーションスプリングの付勢力によって、操作レバー６１はスイッチ５５をＯＦＦする方向へ回動され、上記トーションスプリングの作用によって、操作レバー６１はスイッチ５５を常にＯＦＦにした状態に保持されるものである。
【００４０】
既に理解されるように、本実施形態に係る目地用カッター装置においては、一方の手でハンドル４７を保持し、ケーシング本体３を把持した他方の手の指でもってスイッチ５５のＯＮ，ＯＦＦ操作を行うことができ、前記スイッチ５５を他方の手で直接ＯＮ，ＯＦＦ操作する場合に比較して安全性が向上するものである。また、前記スイッチ５５は、トーションスプリングの付勢力によって操作レバー６１がスイッチ５５を常にＯＦＦする方向へ回動付勢されており、常態においてはスイッチ５５がＯＦＦ状態に保持されるものであり、安全性が向上するものである。
【００４１】
前述のごとくスイッチ５５をＯＮ操作すると、モータが始動され出力軸５が回転される。そして、出力軸５の回転により偏心カム７が偏心回転するので、ブレードホルダ１５は、弾性部材１９を介して支持軸１３を中心として揺動運動されることになる。したがって、ブレードホルダ１５の先端側に取付けたカッター２３はブレードホルダ１５と一体的に揺動運動を行うことになる。
【００４２】
前述のごとくモータを始動した後、対象とする目地にガイドローラ５３を押し付け、かつ上記ガイドローラ５３を支点として、ケーシング本体３の傾斜を調節して前記カッター２３に備えた例えば第１の刃部３５を目地と目地内のシール材との接着部に押し込み、切込み深さを調節する。
【００４３】
その後、目地に沿ってケーシング本体３を引くことにより、カッター２３における前記第１の刃部３５に備えた切刃３９によって前記接着部の切断が行われ、逆に、前記ケーシング本体３を押すことにより、カッター２３における前記第１の刃部３５に備えた切刃４１によって前記接着部の切断が行われるものである。
【００４４】
この際、前記第１の刃部３５は、前記ブレードホルダ１５の長手方向に対して大略直交する方向に突出してあるので、第１の刃部３５の突出方向は、ブレードホルダ１５の先端部の揺動方向と大略等しい方向であり、前記切刃３９，４１によって目地とシール材との接着部の切断を行うとき、あたかも鋸引きを行うように、前記接着部の切断を行うことになるものである。したがって、シール材があたかもゴムのごとく弾性に優れている場合であっても、前記接着部の切断を能率良く行うことができるものである。
【００４５】
前記第２の刃部３７によって前記接着部の切断を行う場合には、第２の刃部３７における切刃４３の直接状部分４３Ａは、前記ブレードホルダ１５の先端側の揺動方向に対して傾斜しているものの、例えば揺動方向に対して直交する方向に近い傾斜であるので、前記切刃４３によって前記接着部をたたくようにして切断することになるものである。すなわち、第２の刃部３７においては、例えば鉈で物を切断する態様に近似した切断作用を行うものである。
【００４６】
既に理解されるように、目地とシール材との接着部の切断を行う場合、シール材の性状、特性、目地の構造等に対応して第１の刃部３５又は第２の刃部３７を選択的に使用することができるものである。また、前述したように、ハンドル４７をベースプレート１１の所望の側面に取付けることができるので、左利き、右利きに拘りなく操作が容易であると共に、前記第１の刃部３５、第２の刃部３７を選択的に使用する場合にも容易に対応し得るものである。
【００４７】
前述のごとく、例えば第１の刃部３５によって目地とシール材との接着部の切断を行うとき、ガイドローラ５３を目地に沿って転動移動することができる。そして、前記目地の形状等によってガイドローラ５３に対してカッター２３が目地の長手方向に対して直交する方向へ相対的に移動する場合、ガイドローラ５３を支持した摺動杆５１に対してガイドローラ５３が相対的に軸方向へ移動自在であり、かつ前記摺動杆５１は前記ベースプレート１１に対して軸方に移動自在であるから、ガイドローラ５３とカッター２３は目地の長手方向に対して相対的に移動自在であり、容易に対応し得るものである。
【００４８】
すなわち、前記ガイドローラ５３は、図３に示すように、カッター２３の外側（図３においては右側）に位置することや、カッター２３の内側（図３においてはカッター２３の左側）に位置することは自在であり、カッター２３が目地の一側の接着部又は他側の接着部の切断を行う場合であっても、ガイドローラ５３は目地に沿って転動自在なものである。この際、摺動杆５１の端部がカッター２３の外側へ大きく突出するようなことはないものである。
【００４９】
前述のごとくブレードホルダ１５を、支持軸１３を中心として揺動してカッター２３に備えた第１の刃部３５又は第２の刃部３７によって目地とシール材との接着部の切断を行っているとき、負荷の変動が生じた場合であっても、弾性部材１９が負荷の変動を吸収するので、ブレードホルダ１５における嵌合穴１７の内周面と偏心回転部９の外周面とが衝突するようなことがなく、衝撃音等の騒音の発生を抑制することができるものである。
【００５０】
図６は、前記ブレードホルダ１５の両側にそれぞれカッター（ブレード）６９，７１を取付けた状態を示すものである。なお、前述した構成と同一の構成部分には同一の符号を付することとして重複した説明は省略する。
【００５１】
前記カッター６９，７１は、前述したカッター２３の第１の刃部３５とほぼ同形状の刃部７３を先端部に備えた構成であって、その構成の相違点は、前記刃部７３を、前記ブレードホルダ１５の長手方向に位置をずらして備えるために、前記カッター６９の刃部本体６９Ｂよりもカッター７１の刃部本体７１Ｂが長く設けてある点である。そして、前記刃部本体６９Ｂ，７１Ｂと前記刃部７３との間には屈力した段部６９Ａ，７１Ａが形成してある。
【００５２】
なお、前記カッター６９，７１の刃部本体６９Ｂ，７１Ｂには、前記カッター２３に備えた着脱孔３１Ａ，３１Ｂと同一の着脱孔３１Ａ，３１Ｂを備えると共にスロット３３Ａ，３３Ｂを備えているものであり、上記スロット３３Ａ，３３Ｂに係合した固定具２１Ａ，２１Ｂによって、前記ブレードホルダ１５に着脱可能に取付けてある。
【００５３】
上記構成においては、段部６９Ａ，７１Ａの寸法の異なるカッター６９，７１を適宜に組合せることにより、前記カッター６９，７１における刃部７３の間隔を、対象とする目地の幅に対応して調節し得るものである。そして、上記一対のカッター６９，７１によって目地とシール材との接着部の切断を行うとき、両側の接着部の切断を同時に行うことができるものである。
【００５４】
この際、カッター６９，７１の刃部７３は目地の長手方向に位置ずれした状態にあるので、一対のカッター６９，７１の刃部７３でもってシール材を圧縮挟持するようなことがないものである。すなわち、カッター６９，７１の刃部７３が位置ずれしてあることにより、シール材は相対的には蛇行する態様となるものであって、一対のカッター６９，７１の刃部７３の間から容易に抜け出ることができるものであり、挟み込まれるようなことがないものである。
【００５５】
以上のごとき説明より理解されるように、本実施形態によれば、シール材がゴムの如く弾性に優れている場合であっても鋸で切断するがごとく切断することができ、能率よく切断することができるものである。また、ブレードホルダの嵌合穴と偏心回転部との間に存在する間隙が吸収される態様となって当該部分においての騒音の発生を防止することができるものである。
【００５６】
また、一対のカッターを用いてシール材と目地との接着部の切断を行うとき、一対のカッターの刃部の間にシール材の挟み込みを生じることなく切断することができ、前述したごとき従来の問題を解消し得るものである。
【００５７】
ところで、本発明は前述したごとき実施形態に限るものではなく、適宜の変更を行うことにより、その他の形態でも実施可能なものである。すなわち、カッター（ブレード）としては、図７に示すように、刃部本体７５の先端部の両側（反対側）にほぼ対称形に第１，第２の刃部７７Ａ，７７Ｂをそれぞれほぼ円形状に突出した構成とする。そして、例えば第１の刃部７７Ａにおける切刃７９を鋸刃形状となし、第２の刃部７７Ｂにおける切刃８１を鋭利な刃に形成することも可能である。すなわち、第１，第２の刃部７７Ａ，７７Ｂにおける切刃７９，８１の形状を異にすることも可能なものである。
【図面の簡単な説明】
【００５８】
【図１】本発明の実施形態に係る目地用カッター装置の一部を断面して示した平面説明図である。
【図２】同上の主要部分を示した正断面説明図である。
【図３】同上の側面説明図である。
【図４】弾性部材の拡大断面説明図である。
【図５】カッターの説明図である。
【図６】ブレードホルダの両側に一対のカッターを取付けた場合のカッターの説明図である。
【図７】第二の実施形態に係るカッターの説明図である。
【符号の説明】
【００５９】
１  目地用カッター装置
３  ケーシング本体
９  偏心回転部
１１  ベースプレート
１３  支持軸
１５  ブレードホルダ
１７  嵌合穴  
１９  弾性部材
２３  カッター（ブレード）
２９  刃部本体
３５  第１の刃部
３７  第２の刃部
【図１】
2005076394.tif 000003
【図２】
2005076394.tif 000004
【図３】
2005076394.tif 000005
【図４】
2005076394.tif 000006
【図５】
2005076394.tif 000007
【図６】
2005076394.tif 000008
【図７】
2005076394.tif 000009